(57)【要約】【課題】  所望の画角からなる画像の撮影時における速写性を向上させる。【解決手段】  画角の異なる複数のスルー画像Ｐ２、Ｐ３、Ｐ４を表示部にマルチ画面表示し（Ｓ１０１）、各画像に倍率数値を表示する（Ｓ１０２）。ユーザが入力した数字キーの操作を取り込み（Ｓ１０３）、この入力した数字キーの数値が、表示部の各スルー画像Ｐ２、Ｐ３、Ｐ４に表示されている倍率数値であるか否かを判断する（Ｓ１０４）。表示されている倍率数値ではない場合には、これに対する処理をＮＯＰとして未処理で（Ｓ１０５）、Ｓ１０３に戻る。入力した数字キーの数値が表示部に表示されている倍率数値のいずれかであった場合には、該当倍率の画像を撮影し（Ｓ１０６）、撮影処理を行って（Ｓ１０７）、画像メモリに記憶させる記録処理を行う（Ｓ１０８）。【選択図】    図５
2005269285.tif 000002
【特許請求の範囲】
【請求項１】
撮像手段と、
この撮像手段から出力される画像信号に基づき、複数の異なる画角で画像を表示する表示手段と、
前記画像に対応する画像信号を記録する記録手段と、
複数の操作手段と、
この複数の操作手段のいずれかの操作に応じて、この操作された操作手段に対応する画角の画像に対応する画像信号を前記記録媒体に記録させる制御手段と
を備えることを特徴とする撮像装置。
【請求項２】
前記複数の操作手段には各々異なる数値が表示され、
前記制御手段は、操作された操作手段に表示されている数値に対応する倍率の画角の画像信号を前記記録媒体に記録させることを特徴とする請求項１記載の撮像装置。
【請求項３】
前記表示手段は、異なる画角からなる被写体の画像とともに当該画像の倍率数値を表示し、
前記操作手段は、前記倍率数値と対応する数値が表示されているものを含み、
前記制御手段は、操作された操作手段に表示されている数値に対応する倍率数値の画角の画像信号を前記記録媒体に記録させることを特徴とする請求項２記載の撮像装置。
【請求項４】
前記操作された操作手段に表示されている数値が、当該撮像装置における最高拡大倍率以内であるか否かを判断する判断手段をさらに備え、
この判断手段により最高拡大倍率以内であると判断された場合、前記制御手段は、操作された操作手段に表示されている数値に対応する倍率数値の画角の画像信号を前記記録媒体に記録させることを特徴とする請求項３記載の撮像装置。
【請求項５】
前記判断手段により最高拡大倍率以内ではないと判断された場合、前記制御手段は、前記最高拡大倍率の画角の画像信号を前記記録媒体に記録させることを特徴とする請求項４記載の撮像装置。
【請求項６】
無線通信手段をさらに備え、
前記複数の操作手段は、前記無線通信手段を制御するために設けられたものであることを特徴とする請求項１から５にいずれか記載の撮像装置。
【請求項７】
複数の操作部を備える撮像装置における画像信号記録方法であって、
前記撮像手段から出力される画像信号に基づき、複数の異なる画角で画像を表示出力させる表示出力ステップと、
前記複数の操作部のいずれかの操作に応じて、この操作された操作部に対応する画角の画像信号を記録媒体に記録させる記録ステップと
からなることを特徴とする画像信号記録方法。
【発明の詳細な説明】
【技術分野】
【０００１】
本発明は、装置、及び、画像信号記録方法に関する。
【背景技術】
【０００２】
今日におけるデジタルカメラにおいては、比較的低廉で操作が簡易なものであってもズーム機能を備えている。このズーム機能を備えたデジタルカメラには、ズームキーが設けられており、このズームキーの一方側を押下すると、被写体像が徐々に拡大し、他方側を押下すると被写体像が徐々に縮小するように構成されている。したがって、ユーザは画面に表示される被写体像を視認しつつ、ズームキーを操作し、被写体像が所望の拡大率になった時点でズームキーの操作をやめ、しかる後にシャッター操作を行うことにより、所望の拡大率からなる被写体を撮影することができる（第１の従来技術）（例えば、特許文献１参照。）。
【０００３】
また、被写体のスルー画像をマルチ画面表示するデジタルカメラの提案されるに至っている。このデジタルカメラは、ファインダ画面の中に現在その状態で撮影したときに写真となる構図のほか、ズーミング位置を変更した時の構図やカメラを縦に構えた時の構図を同時に表示する。したがって、表示された複数の画面を見て、いずれの構図が良いかを比較しながら判断できるので、撮影時において瞬時に画角を変更して撮影動作に入ることができ、速写性を高めることができるとするものである（第２の従来技術）（例えば、特許文献１参照）。
【特許文献１】特開平１１-８４２１２号公報（第４−５頁、図５）
【特許文献２】特開２００２−１５２５５８号公報
【発明の開示】
【発明が解決しようとする課題】
【０００４】
しかしながら、第１の従来技術にあっては、前述のようにズームキーが連続的に操作されることにより、被写体像を徐々に拡大又は縮小することから、被写体像が所望の拡大率となるまでに時間を要する。このため、被写体像が所望の拡大率となるまでの間に、被写体に変化が生じてしまいシャッターチャンスを失う場合がある。また、第２の従来技術にあっても、ユーザは表示された複数の画面を見て、いずれの構図が良いかを比較しながら判断した後、撮影に際しては画角を変更する操作を行わなければならない。したがって、判断を行った後、画角を変更する操作を行って撮影を行うまでの間に、同様に被写体に変化が生じてしまいシャッターチャンスを失う場合がある。よって、いずれの従来技術も所望の画角からなる画像を、充分な速写性をもって撮像できるものではなかった。
【０００５】
本発明は、このような従来の課題に鑑みてなされたものであり、所望の画角からなる画像の撮影時における速写性を向上させた撮像装置、撮像方法、及び撮像制御プログラムを提供することを目的とするものである。
【課題を解決するための手段】
【０００６】
前記課題を解決するために請求項１記載の発明に係る撮像装置にあっては、撮像手段と、この撮像手段から出力される画像信号に基づき、複数の異なる画角で画像を表示する表示手段と、前記画像に対応する画像信号を記録する記録手段と、複数の操作手段と、この複数の操作手段のいずれかの操作に応じて、この操作された操作手段に対応する画角の画像に対応する画像信号を前記記録媒体に記録させる制御手段とを備える。
【０００７】
したがって、ユーザは表示手段にマルチ画面表示される複数の異なる画角からなる被写体の画像を視認することにより、いずれの画角で被写体の画像を記録させるかを検討して、決定することができる。そして、所望の画角を決定したならば、予め異なる画角に各々対応付けられている操作手段のうち、所望の画角に対応する操作手段を操作する。すると、この操作された操作手段に対応する画角からなる被写体の画像信号が記録媒体に記録される。したがって、複数の異なる画角からなる被写体の画像を視認して所望の画角を決定した後、対応する操作手段を操作するのみにより、シャッターチャンスを失うことなく所望の画角からなる所望の被写体の画像を撮像することができる。
【０００８】
また、請求項２記載の発明に係る撮像装置にあっては、前記複数の操作手段には各々異なる数値が表示され、前記制御手段は、操作された操作手段に表示されている数値に対応する倍率の画角の画像信号を前記記録媒体に記録させる。したがって、ユーザが操作手段を操作する際に、操作手段と記録媒体に記録される被写体の画像の画角との関係が明瞭となり、誤操作なく所望の画角からなる被写体の画像信号を記録することができる。
【０００９】
また、請求項３記載の発明に係る撮像装置にあっては、前記表示手段は、異なる画角からなる被写体の画像とともに当該画像の倍率数値を表示し、前記操作手段は、前記倍率数値と対応する数値が表示されているものを含み、前記制御手段は、操作された操作手段に表示されている数値に対応する倍率数値の画角の画像信号を前記記録媒体に記録させる。したがって、ユーザが表示手段に表示された複数の被写体の画像を視認した際、倍率数値により各画像がいずれの倍率であるかを知ることができる。よって、誤り無く所望の画像の倍率を決定することができ、しかる後にこの決定した決定した倍率の数値を有する操作手段を操作することにより、誤りなく所望の画角からなる被写体の画像信号を記録することができる。
【００１０】
また、請求項４記載の発明に係る撮像装置にあっては、前記操作された操作手段に表示されている数値が、当該撮像装置における最高拡大倍率以内であるか否かを判断する判断手段をさらに備え、この判断手段により最高拡大倍率以内であると判断された場合、前記制御手段は、操作された操作手段に表示されている数値に対応する倍率数値の画角の画像信号を前記記録媒体に記録させる。したがって、表示手段に、ユーザが所望する倍率の画角からなる被写体の画像が表示されてない場合であっても、ユーザが当該撮像装置における最高拡大倍率以内の数値に対応する操作手段を操作することにより、当該数値に対応する倍率数値の画角からなる被写体の画像信号を記録することができる。
【００１１】
また、請求項５記載の発明に係る撮像装置にあっては、前記判断手段により最高拡大倍率以内ではないと判断された場合、前記制御手段は、前記最高拡大倍率の画角の画像信号を前記記録媒体に記録させる。したがって、ユーザが当該撮像装置の最高拡大倍率を誤認して、最高拡大倍率を超える数値を有する操作手段を操作した場合、最高拡大倍率の画角からなる被写体の画像信号が記録媒体に記録される。よって、ユーザが当該撮像装置の最高拡大倍率を誤認して操作を行った場合であっても、必ず被写体の画像信号を記録することができ、誤認によるシャッターチャンスの喪失を防止することができる。しかも、最高拡大倍率の画角からなる被写体の画像が記録媒体に記録されることから、より拡大率の高い被写体の画像を記録したいとするユーザの意思を記録画像に反映させることができる。  また、請求項６記載の発明に係る撮像装置にあっては、無線通信手段をさらに備え、前記複数の操作手段は、前記無線通信手段を制御するために設けられたものである。したがって、無線通信手段を制御するために設けられた既存の操作手段を有効利用してシャッターチャンスの喪失を防止することができる。
【００１２】
また、請求項７記載の発明にあっては、複数の操作部を備える撮像装置における画像信号記録方法であって、前記撮像手段から出力される画像信号に基づき、複数の異なる画角で画像を表示出力させる表示出力ステップと、前記複数の操作部のいずれかの操作に応じて、この操作された操作部に対応する画角の画像信号を記録媒体に記録させる記録ステップとからなる。したがって、記載したステップに従って処理を実行することにより、請求項１記載の発明と同様の作用効果を奏する。
【発明の効果】
【００１３】
以上説明したように本発明によれば、ユーザは表示手段にマルチ画面表示される複数の異なる画角からなる被写体の画像を視認することにより、いずれの画角で被写体の画像を記録させるかを検討して、決定することができる。また、所望の画角を決定したならば、予め異なる画角に各々対応付けられている操作手段のうち、所望の画角に対応する操作手段を操作することにより、この操作された操作手段に対応する画角からなる被写体の画像信号を記録媒体に記録することができる。したがって、複数の異なる画角からなる被写体の画像を視認して所望の画角を決定した後、対応する操作手段を操作するのみにより、シャッターチャンスを失うことなく所望の画角からなる所望の被写体の画像を撮像することができ、よって、所望の画角からなる画像の撮影時における速写性を向上させることができる。
【発明を実施するための最良の形態】
【００１４】
以下、本発明を携帯電話に適用した実施の形態を図に従って説明する。
【００１５】
（第１の実施の形態）
図１は、本発明の各実施の形態に共通する携帯電話１の外観図（開状態：正面図及び背面図）であり、携帯電話１は、蓋部と本体部とからなる二つ折りの構造である。アンテナ１０３は、本体部の背面に設けられており、伸縮自在となっている。スピーカ１０１は、蓋部の前面側に設けられており、音声出力を行う。メイン表示部１０２は、ＱＶＧＡカラー液晶であり、蓋部の前面略中央部に配置されている。
【００１６】
本体部の前面には、カメラキー１０４、メールキー１０５、十字キー１０６、決定キー１０７、アドレスキー１０８、ネット接続キー１０９、クリアキー１１０、オンフックキー１１１とオフフックキー１１２、数字キー１１３等が設けられている。これらのキーにおいて、十字キー１０６、決定キー１０７、アドレスキー１０８、ネット接続キー１０９は、この携帯電話１を右手で握持した場合、当該右手の親指で操作可能な位置に配置されている。
【００１７】
また、カメラキー１０４は、着信待受け状態から撮影モードへの移行時及び撮像部の起動させる際に操作されるとともに、カメラ−ムービー切替に使用される。メールキー１０５は、メールモード移行時及びメールプログラムロード時に操作されるキーである。十字キー１０６は、カーソル移動時に操作され、決定キー１０７は各種モードの決定時に操作される。
【００１８】
アドレスキー１０８は、アドレス帳データを表示する際に操作されるキーであり、ネット接続キー１０９は、外部のネットワーク接続用の操作キーである。クリアキー１１０は、キャンセル指示用のキーであり、数字キー１１３は、文字入力及びダイアル入力用として使用され、数字［０］〜［９］が付されたキー構成されていており、本実施の形態においてはこの数字キー１１３が撮影モードにおいてはシャッターキーとして機能する。
マイク１１４は、本体部の下部に設けられており、通話時において音声入力を行う。
【００１９】
また、蓋部の背面には、録音用マイク１１５、カラー液晶からなるサブ表示部１１６、着信の際、発光する報知用ＬＥＤ１１７、光学系としての撮像レンズ１１８、及びフラッシュ用ＬＥＤ１１９が配置されている。また、本体部の裏面には報知用スピーカ１２０が配置されている。この報知用スピーカ１２０は、着信などを報知するものであり、蓋部を本体部に閉じた状態でも報知音が聞こえるように、本体部の裏面に配置されている。
【００２０】
図２は、携帯電話１の構成を示すブロック図である。無線部１２１は、アンテナ１０３に接続されており、ＱＰＳＫ方式に基づく変復調と、ＣＤＭＡ方式に基づく端末認証処理を含む通信処理を行う。制御部１２２は、当該機器を制御するとともにＷＷＷ接続制御を行うものであって、通信データ処理部１２２１、システムＲＯＭ１２２２及びオーディオインターフェース１２２３、及び、内蔵クロック（不図示）に基づき現在時刻を計時するための時刻計時部１２２４を有している。
【００２１】
通信データ処理部１２２１は、ＣＥＬＰ系音声復号符号化処理回路、パケットデータ生成回路、及びパケットデータ復元回路を含み、通信プロトコルに沿ったデータ処理を行う。システムＲＯＭ１２２２には、ＯＳのような基本システムが格納される。オーディオインターフェース１２２３は、通信データ処理部１２２１で処理される音声信号の入出力を行うものであって、前記スピーカ１０１、マイク１１４及び録音用マイク１１５が接続されている。なお、入力部は、前記カメラキー１０４〜数字キー１１３等で構成される。
【００２２】
アドレス・データバス処理部１２３は、制御部１２２と周辺回路（破線枠内の回路）とのデータの入出力タイミング等を制御・管理するものである。ＲＡＭ１２４は、アドレス帳データやメールデータ等、機器内で生成される各種データを記憶する。プログラムＲＯＭ（ＮＯＲ  Ｆｌａｓｈ）１２５は、各種アプリケーションプログラム等を格納し、特に本実施の形態においては、ＤＳＰ１２９にてデジタル化された画像データに対し圧縮符号化処理を施すためのプログラムを含むカメラアプリケーションを記憶する。音源ＩＣ１２６は、報知音の波形を記憶するともに出力するものであって、アンプ１２７は音源ＩＣ１２６からの出力を増幅し、前記報知用スピーカ１２０はこれを再生する。
【００２３】
表示モジュール系ドライバ１２８は、前記メイン表示部１０２、サブ表示部１１６、報知用ＬＥＤ１１７、及びフラッシュ用ＬＥＤ１１９を駆動するものである。撮像デバイス１３０は、前記撮像レンズ１１８により絞り１３２を介して被写体像が結像されるＣＣＤ等からなる。ＤＳＰ１２９は、この撮像デバイス１３０からの画像信号をデジタル信号化処理するとともに、このデジタル信号化処理により得られたデジタル画像データをデジタルズーム処理して拡大あるいは縮小処理するものである。この拡大あるいは縮小処理された画像データに基づき、表示モジュール系ドライバがメイン表示部１０２を駆動することにより、撮像デバイス１３０上に結像された被写体像がメイン表示部１０２に拡大あるいは縮小表示されるとともに、シャッター操作（数字キー１１３の操作）に伴い当該被写体像の画像データが後述する画像メモリ１２４３に記録されるように構成されている。
【００２４】
また、撮像レンズ１１８はオートフォーカス制御用のステップモータ等からなる駆動機構（図示せず）に保持されている。そして、制御部１２２からのコントラスト検出方式のパッシブＡＦに基づく制御信号に応じて、ＡＦドライバ１３１が出力する駆動信号が駆動機構に供給されることにより、撮像レンズ１１８を光軸上の前後に移動して合焦動作を行うように構成されている。なお、絞り１３２はパンフォーカスが可能な絞り値が設定された固定式である。
【００２５】
図３（ａ）は、プログラムＲＯＭ１２５のメモリエリアの構成を示す概念図である。プログラムＲＯＭ１２５は、ソフトウェアプログラム格納領域１２５１及びその他の格納領域１２５２とを有している。ソフトウェアプログラム格納領域１２５１には、本実施の形態の特徴であるカメラアプリケーションが格納されており、その他の格納領域１２５２にはその他のアプリケーションが格納されている。
【００２６】
図４は、前記ＲＡＭ１２４のメモリエリアの構成を示す概念図である。ＲＡＭ１２４は、アドレス帳記憶領域１２４１、メールデータ記憶領域１２４２、画像メモリ１２４３、及びその他のワーク領域１２４４からなる。アドレス帳記憶領域１２４１は、氏名、電話番号、メールアドレス等を１レコードとして複数記憶する。メールデータ記憶領域１２４２には、メールソフトウェアを使用して作成されたメールデータや、受信したメールデータを格納する。画像メモリ１２４３は、撮影された画像の画像ファイルを格納する。その他のワーク領域１２４４は、ワークメモリとして各種データ格納する。
【００２７】
次に、以上の構成に係る携帯電話１の動作について説明する。着信待受け状態においては、この携帯電話１は一般的な携帯電話と同様に機能する。つまり、前述のように、メールキー１０５は、メールモード移行時及びメールプログラムロード時に操作されるキーとして機能し、アドレスキー１０８は、アドレス帳データを表示する際に操作されるキーとして機能し、ネット接続キー１０９は、外部のネットワーク接続用の操作キーとして機能し、数字キー１１３は、文字入力及びダイアル入力用キーとして機能する。
【００２８】
そして、ユーザが携帯電話１をカメラとして使用すべく、カメラキー１０４をワンタッチ操作すると、制御部１２２は、このカメラキー１０４の操作に応答して撮影モードに移行し、ソフトウェアプログラム格納領域１２５１に記憶されるカメラアプリケーションをロードし、図５に示すフローチャートに従って処理を実行する。先ず、画角の異なる複数のスルー画像をメイン表示部１０２にマルチ画面表示する（ステップＳ１０１）。
【００２９】
すなわち、オートフォーカス（ＡＦ）で撮像レンズ１１８により撮像デバイス１３０上に結像された被写体像のデジタルデータをＤＳＰ１２９により処理させ、ズーム比が１倍、２倍、３倍、４倍の画像データを生成させ、これら画像データに基づき表示モジュール系ドライバ１２８を制御することにより、ズーム比が１倍、２倍、３倍、４倍のスルー画像をメイン表示部１０２に表示させる。このステップＳ１０１での処理により、図６（ａ）に示すように、メイン表示部１０２には、ズーム比１倍のスルー画像Ｐ１、２倍のスルー画像Ｐ２、３倍のスルー画像Ｐ３、４倍のスルー画像Ｐ４が各々メイン表示部１０２を四等分した表示領域に表示されることとなる。
【００３０】
次に、各画像に倍率数値を表示し（ステップＳ１０２）、このステップＳ１０２での処理により、図６（ａ）に示したように、スルー画像Ｐ２、Ｐ３、Ｐ４の一部に倍率数値１０２１を表示する。引き続き、ユーザが入力した数字キー１１３の操作を取り込み（ステップＳ１０３）、この入力した数字キー１１３の数値が、メイン表示部１０２の各スルー画像Ｐ２、Ｐ３、Ｐ４に表示されている倍率数値であるか否か、つまり本実施の形態においては「２」「３」「４」のいずれかであるか否かを判断する（ステップＳ１０４）。表示されている倍率数値ではない場合には、これに対する処理をＮＯＰとして未処理で（ステップＳ１０５）、ステップＳ１０３に戻る。
【００３１】
またステップＳ１０４での判断の結果、入力した数字キー１１３の数値がメイン表示部１０２に表示されている倍率数値１０２１のいずれかであった場合には、該当倍率の画像を撮影する（ステップＳ１０６）。すなわち、メイン表示部１０２に表示されているスルー画像Ｐ２、Ｐ３、Ｐ４から、操作された数字キー１１３が示す数値の倍率であるものを撮影画像として選択し、この選択したスルー画像の画像データを、カメラアプリケーションにて圧縮符号化処理して画像ファイルを生成する撮影処理を行う（ステップＳ１０７）。さらに、この撮影処理により得られた画像ファイルを、撮影日時をファイル名として画像メモリ１２４３に記憶させる記録処理を行う（ステップＳ１０８）。
【００３２】
したがって、ユーザはメイン表示部１０２で複数の画角の異なる画像を確認することにより、瞬時に撮影したい所望のズームサイズが判断できると同時に、その倍率のキー操作で撮影できる。よって、シャッターチャンスを失うことなく所望の画角からなる被写体像の画像データを画像メモリ１２４３に記憶させる撮影を行うことができる。
【００３３】
なお、本実施の形態においては、ステップＳ１０２での処理により、図６（ａ）に示したように、ズーム比１倍のスルー画像Ｐ１を除く各スルー画像Ｐ２、Ｐ３、Ｐ４に倍率数値１０２１を表示するようにしたが、同図（ｂ）に示すように、ズーム比１倍のスルー画像Ｐ１にも倍率数値１０２１を表示するようにしてもよい。これにより、前記フローチャートに従った処理によって、ズーム比１倍のスルー画像Ｐ１をも撮影して、その画像データを記録することができる。また、携帯電話１の取扱説明書等において、メイン表示部１０２に表示されるスルー画像のズーム比をユーザに知らしめておけば、逆に倍率数値１０２１を表示することなく、画角の異なるスルー画像のみを表示するようにしてもよい。
【００３４】
（第２の実施の形態）
図７は、本発明の第２の実施の形態における処理手順を示すフローチャートである。このフローチャートにおいて、ステップＳ２０４を除く他のステップＳ２０１〜Ｓ２０３、ステップＳ２０５〜Ｓ２０８は、図５に示した第１の実施の形態におけるステップＳ１０４を除くステップＳ１０１〜Ｓ１０３、ステップＳ１０５〜Ｓ１０８と同一である。
【００３５】
すなわち、ステップＳ２０１での処理により、撮像レンズ１１８により撮像デバイス１３０上に結像された被写体像のデジタルデータをＤＳＰ１２９により処理させて、ズーム比の異なる画像データを生成させ、これら画像データに基づき表示モジュール系ドライバ１２８を制御することにより、画角の異なる複数のスルー画像をメイン表示部１０２にマルチ画面表示させる。このとき、メイン表示部１０２に表示する異なる倍率のスルー画像に、当該機器において最大の拡大倍率のスルー画像を含ませる。したがって、本実施の形態に係る携帯電話１の最大の拡大倍率が６倍であるとすると、このステップＳ２０１での処理により、図８に例示するように、メイン表示部１０２には、ズーム比１倍のスルー画像Ｐ１、２倍のスルー画像Ｐ２、４倍のスルー画像Ｐ４とともに、最高倍率６倍のスルー画像Ｐ６が各々メイン表示部１０２を四等分した表示領域に表示される。次に、各画像に倍率数値を表示し（ステップＳ２０２）、このステップＳ２０２での処理により、図８に示したように、スルー画像Ｐ２、Ｐ４、Ｐ６の一部に倍率数値１０２１を表示する。
【００３６】
引き続き、ユーザが入力した数字キー１１３の操作を取り込み（ステップＳ２０３）、第１の実施の形態とは異なるステップＳ２０４では、この入力した数字キー１１３の数値が、メイン表示部１０２に表示されている倍率数値１０２１の最高倍率以内の数値であるか否かを判断する（ステップＳ２０４）。つまり本実施の形態においては、メイン表示部１０２に表示されている倍率数値１０２１における最高倍率は「６」であることから、入力した数字キー１１３の数値が「６」以下（但し、「０」を除く。）であるか否かを判断する。「６」を超える数値、「７」「８」「９」であるならば、これに対する処理をＮＯＰとして未処理で（ステップＳ２０５）、ステップＳ２０３に戻る。
【００３７】
またステップＳ２０４での判断の結果、入力した数字キー１１３の数値が前記最高倍率以内の数値であった場合、例えば「５」であった場合には、該当倍率の画像を撮影する（ステップＳ２０６）。すなわち、メイン表示部１０２に表示されているスルー画像の画像データを５倍でデジタルズーム処理し、このデジタルズーム処理した画像データを圧縮符号化処理して画像ファイルを生成する撮影処理を行う（ステップＳ２０７）。さらに、この撮影処理により得られた画像ファイルを、撮影日時をファイル名として画像メモリ１２４３に記憶させる記録処理を行う（ステップＳ２０８）。
【００３８】
したがって、ユーザはメイン表示部１０２で複数の画角の異なる画像を確認することにより、瞬時にズームサイズが判断できると同時に、最高倍率以内の所望の倍率のキー操作で所望の倍率の画像を撮影できる。よって、シャッターチャンスを失うことなく所望の画角からなる被写体像の画像データを画像メモリ１２４３に記憶させる撮影を行うことができる。
【００３９】
しかも、本実施の形態においては、最高倍率以内であればメイン表示部１０２に表示されている倍率数値１０２１以外の倍率での撮影も可能となる。よって、メイン表示部１０２の表示面積が小さく、多種倍率に応じた多数の画像をマルチ表示することが困難な場合であっても、多種倍率での撮影を行うことができ、これによりユーザの撮影倍率に対する自由度を確保することができる。
【００４０】
（第３の実施の形態）
図９は、本発明の第３の実施の形態における処理手順を示すフローチャートである。制御部１２２は撮影モードへの移行に伴って、このローチャートに従って処理を実行する。先ず、画角の異なる複数のスルー画像をメイン表示部１０２にマルチ画面表示する（ステップＳ３０１）。このステップＳ３０１での処理により、例えば前述した第２の実施の形態と同様に、ズーム比が１倍、２倍、４倍、６倍の画像データを生成させ、これら画像データに基づき表示モジュール系ドライバ１２８を制御することにより、ズーム比が１倍、２倍、４倍、６倍のスルー画像をメイン表示部１０２に表示させる。
【００４１】
このとき、メイン表示部１０２に表示する異なる倍率のスルー画像に、当該機器において最大の拡大倍率のスルー画像を含ませる。したがって、本実施の形態に係る携帯電話１の最大の拡大倍率が６倍であるとすると、このステップＳ３０１での処理により、図８に示した第２の実施の形態と同様に、メイン表示部１０２には、ズーム比１倍のスルー画像Ｐ１、２倍のスルー画像Ｐ２、４倍のスルー画像Ｐ４とともに、最高倍率６倍のスルー画像Ｐ６が各々メイン表示部１０２を四等分した表示領域に表示される。さらに、各画像に倍率数値を表示し（ステップＳ３０２）、このステップＳ３０２での処理により、図８に示したように、スルー画像Ｐ２、Ｐ４、Ｐ６の一部に倍率数値１０２１を表示させる。
【００４２】
次に、ユーザが入力した数字キー１１３の操作を取り込み（ステップＳ３０３）、この入力した数字キー１１３の数値が、メイン表示部１０２に表示されている倍率数値１０２１の最高倍率以内の数値であるか否かを判断する（ステップＳ３０４）。つまり本実施の形態においては、メイン表示部１０２に表示されている倍率数値１０２１における最高倍率は「６」であることから、入力した数字キー１１３の数値が「６」以下（但し、「０」を除く。）であるか否かを判断する。「６」を超える数値、「７」「８」「９」であるならば（ステップＳ３０４；ＮＯ）、最高倍率の画像を撮影する（ステップＳ３０５）。
【００４３】
すなわち、メイン表示部１０２に表示されているスルー画像Ｐ２、Ｐ４、Ｐ６から、最高倍率の画像であるスルー画像Ｐ６を撮影画像として選択し、この選択したスルー画像Ｐ６の画像データを、カメラアプリケーションにて圧縮符号化処理して画像ファイルを生成する撮影処理を行う（ステップＳ３０７）。さらに、この撮影処理により得られた画像ファイルを、撮影日時をファイル名として画像メモリ１２４３に記憶させる記録処理を行う（ステップＳ３０８）。
【００４４】
またステップＳ３０４での判断の結果、入力した数字キー１１３の数値が前記最高倍率以内の数値であった場合、例えば「３」であった場合には、該当倍率の画像を撮影する（ステップＳ３０６）。すなわち、メイン表示部１０２に表示されているスルー画像の画像データを３倍でデジタルズーム処理し、このデジタルズーム処理した画像データを圧縮符号化処理して画像ファイルを生成する撮影処理を行う（ステップＳ３０７）。さらに、この撮影処理により得られた画像ファイルを、撮影日時をファイル名として画像メモリ１２４３に記憶させる記録処理を行う（ステップＳ３０８）。
【００４５】
したがって、ユーザはメイン表示部１０２で複数の画角の異なる画像を確認することにより、瞬時にズームサイズが判断できると同時に、最高倍率以内の所望の倍率のキー操作で所望の倍率の画像を撮影できる。よって、シャッターチャンスを失うことなく所望の画角からなる被写体像の画像データを画像メモリ１２４３に記憶させる撮影を行うことができる。
【００４６】
しかも、本実施の形態においては、最高倍率以内であればメイン表示部１０２に表示されている倍率数値１０２１以外の倍率での撮影も可能となるのみならず、ユーザが誤って最高倍率以上の値からなる数字キー１１３を操作した場合であっても、最高倍率で撮影が可能となる。したがって、いずれの数字キー１１３を操作した場合であっても、被写体画像の記録が可能となり、シャッターチャンスの喪失を完全に防止することができる。
【００４７】
（第４の実施の形態）
【００４８】
図１０は、本発明の第４の実施の形態における処理手順を示すフローチャートであり、最大倍率が二桁以上、つまり１０倍以上のデジタルズーム機能を有する場合の処理手順を示すものである。すなわち、本実施の形態において、携帯電話１は例えば最高倍率が１２倍であるデジタルズーム機能を有しており、制御部１２２は撮影モードへの移行に伴って、このローチャートに従って処理を実行する。先ず、画角の異なる複数のスルー画像をメイン表示部１０２にマルチ画面表示する（ステップＳ４０１）。このとき、このステップＳ４０１では、ズーム比が１桁である画角の異なる複数のスルー画像を表示し、例えば図１０（ａ）に示すように、ズーム比が１倍、２倍、５倍、８倍の画像データを生成させ、これら画像データに基づき表示モジュール系ドライバ１２８を制御することにより、ズーム比が１倍、２倍、５倍、８倍のスルー画像をメイン表示部１０２に表示させる。さらに、各画像に倍率数値を表示し（ステップＳ４０２）、このステップＳ４０２での処理により、図１１（ａ）に示したように、スルー画像Ｐ２、Ｐ５、Ｐ８の一部に倍率数値１０２１を表示させる。
【００４９】
次に、ユーザが入力した数字キー１１３の操作を取り込み（ステップＳ４０３）、この入力した数字キー１１３が、「１」キー以外であるか否か（但し「０」キーは除く。）を判断する（ステップＳ４０４）。「１」キー以外の「２」〜「９」キーであった場合（ステップＳ４０４；ＹＥＳ）、例えば「９」であった場合には、該当倍率の画像を撮影する（ステップＳ４１０）。すなわち、メイン表示部１０２に表示されているスルー画像の画像データを９倍でデジタルズーム処理し、このデジタルズーム処理した画像データを圧縮符号化処理して画像ファイルを生成する撮影処理を行う（ステップＳ４１１）。さらに、この撮影処理により得られた画像ファイルを、撮影日時をファイル名として画像メモリ１２４３に記憶させる記録処理を行う（ステップＳ４１１）。
【００５０】
しかし、ステップＳ４０４での判断の結果、入力したのが「１」キーであった場合には（ステップＳ４０４；ＮＯ）、画像表示を１０〜１２倍のスルー画像に変更する（ステップＳ４０５）。すなわち、ズーム比が１０倍、１１倍、１２倍の画像データを生成させ、これら画像データに基づき表示モジュール系ドライバ１２８を制御することにより、ズーム比が１０倍、１１倍、１２倍のスルー画像をメイン表示部１０２に表示させ、このときスルー画像の一部に倍率数値を表示させる。したがって、このステップＳ４０５での処理により、図１１（ｂ）に示すように、メイン表示部１０２にはズーム比が１０倍のスルー画像Ｐ１０、１１倍のスルー画像Ｐ１１、１２倍のスルー画像のスルー画像Ｐ１２に表示されるとともに、各スルー画像Ｐ１０、Ｐ１１、Ｐ１２の一部に倍率数値１０２１が表示されることとなる。
【００５１】
次に、ユーザが再度（２回目）操作した数字キー（Ｘ）の入力を取り込み（ステップＳ４０６）、前記ステップＳ４０３で取り込んだ数字と、このステップＳ４０６で取り込んだ数字との組合せからなる入力した数値キーの値が、当該機器における最高倍率以内の数値であるか否かを判断する（ステップＳ４０７）。すなわち、前記ステップＳ４０４での判断がＮＯであることにより、前記ステップＳ４０３で取り込んだ数字は「１」である。また、本実施の形態において最高倍率は１２倍である。したがって、ステップＳ４０６で取り込んだ数字キー（Ｘ）が例えば「５」であったとすると、ステップＳ４０３で取り込んだ数字とこのステップＳ４０６で取り込んだ数字との組合せからなる入力した数値キーの値は「１５」であり、「１５」は最高倍率「１２」以内の数値ではない。よって、この場合（ステップＳ４０７がＮＯである場合）には、これに対する処理をＮＯＰとして未処理で（ステップＳ４０８）、ステップＳ４０６に戻る。
【００５２】
しかし、ステップＳ４０６で取り込んだ数字キー（Ｘ）が例えば「０」であったとすると、ステップＳ４０３で取り込んだ数字とこのステップＳ４０６で取り込んだ数字との組合せからなる入力した数値キーの値は「１０」であり、「１０」は最高倍率「１２」以内の数値である。よって、この場合（ステップＳ４０７がＹＥＳである場合）には、１０＋Ｘを倍率して算出し（ステップＳ４０９）、よって、数字キー（Ｘ）が「０」である場合には、１０倍が倍率として算出されることとなる。数字キー（Ｘ）が「１」である場合には１１倍が、「２」である場合には１２倍が各々算出されることとなる。そして、このようにして最高倍率以内で二桁からなる倍率を算出したならば、前述と同様に、該当倍率の画像を撮影し（ステップＳ４１０）、撮影処理を行い（ステップＳ４１１）、記録処理を行う（ステップＳ４１１）。
【００５３】
したがって、本実施の形態によれば、ユーザはメイン表示部１０２で複数の画角の異なる画像を確認することにより、瞬時にズームサイズが判断できると同時に、最高倍率が複数桁であっても、最高倍率以内の所望の倍率のキー操作で所望の倍率の画像を撮影できる。よって、シャッターチャンスを失うことなく、大きな拡大倍率からなる所望の被写体像の画像データを画像メモリ１２４３に記憶させる撮影を行うことができる。
【００５４】
なお、本実施の形態においては、本発明を携帯電話に適用した場合を示したが、これに限ることなく、ＰＤＡ、デジタルカメラ単体、携帯型ゲーム機等撮像機能を有する他の機器に適用し得ることは勿論である。
【図面の簡単な説明】
【００５５】
【図１】（ａ）は本発明の各実施の形態に共通する携帯電話の正面図、（ｂ）は背面図である。
【図２】携帯電話の構成を示すブロック図である。
【図３】プログラムＲＯＭのメモリエリアの構成を示す概念図である。
【図４】ＲＡＭのメモリエリアの構成を示す概念図である。
【図５】本発明の第１の実施の形態における処理手順を示すフローチャートである。
【図６】（ａ）は同実施の形態における表示画面例を示す図、（ｂ）は同実施の形態の変形例における表示画面例を示す図である。
【図７】本発明の第２の実施の形態における処理手順を示すフローチャートである。
【図８】同実施の形態における表示画面例を示す図である。
【図９】本発明の第３の実施の形態における処理手順を示すフローチャートである。
【図１０】本発明の第４の実施の形態における処理手順を示すフローチャートである。
【図１１】同実施の形態における表示画面遷移図である。
【符号の説明】
【００５６】
１    携帯電話
１０２    メイン表示部（表示手段）
１０３    アンテナ（無線通信手段）
１０４    カメラキー
１１３    数字キー（操作手段）
１１８    撮像レンズ（撮像手段）
１２１    無線部（無線通信手段）
１２２    制御部（制御手段、判断手段）
１２３    データバス処理部
１２４    ＲＡＭ
１２５    プログラムＲＯＭ
１２８    表示モジュール系ドライバ
１２９    ＤＳＰ
１３０    撮像デバイス（撮像手段）
１３１    ＡＦドライバ
１０２１    倍率数値
１２２１    通信データ処理部（無線通信手段）
１２４１    アドレス帳記憶領域
１２４２    メールデータ記憶領域
１２４３    画像メモリ（記録手段）
１２４４    ワーク領域
１２５１    ソフトウェアプログラム格納領域
【図１】
2005269285.tif 000003
【図２】
2005269285.tif 000004
【図３】
2005269285.tif 000005
【図４】
2005269285.tif 000006
【図５】
2005269285.tif 000007
【図６】
2005269285.tif 000008
【図７】
2005269285.tif 000009
【図８】
2005269285.tif 000010
【図９】
2005269285.tif 000011
【図１０】
2005269285.tif 000012
【図１１】
2005269285.tif 000013